(57)【特許請求の範囲】
【請求項１】
前面開口部(56)に透明部材(108)が嵌め込まれた断熱箱体(16)に、温度調節されて物品を収納する収納室(192)が内部画成されると共に、前記断熱箱体(16)に、ＬＥＤ素子(124)を基板(126)に配設したＬＥＤ照明装置(120)を設け、該照明装置(120)により前記収納室(192)内を照らすよう構成したショーケースにおいて、
前記収納室(192)内に、エバポレータ(182)が取付部(186)を介して該収納室(192)の上部から所要間隔離間して配設されて、該エバポレータ(182)の上方に前記ＬＥＤ照明装置(120)を収容したホルダ(184)を配設し得る空きスペース(V,W)を形成し、
前記収納室(192)に臨む側から光が透過可能で、少なくとも前方および上方側に臨む部位(194)が非透明若しくは半透明な前記ホルダ(184)が、該収納室(192)における前記エバポレータ上方の空きスペース(V,W)に配設され、
前記ＬＥＤ照明装置(120)は、前記ＬＥＤ素子(124)を収納室(192)に向けた状態で前記ホルダ(184)に収容保持され、
前記エバポレータ(182)は、前後に離間する部位を有し、前記ホルダ(184)は、前記空きスペース(V,W)におけるエバポレータ(182)の前後に離間する部位の間に臨むよう配設されている
ことを特徴とするショーケース。
【発明の詳細な説明】
【技術分野】
【０００１】
この発明は、飲食店等のカウンタに設置されて、収納した物品を展示しつつ保存するショーケースに関するものである。
【背景技術】
【０００２】
食品や飲料品等の物品を冷蔵保存する冷蔵ショーケースとしては、例えば寿司屋等のカウンタに設置され、収納した寿司ネタ等の生鮮食材を展示しながら冷蔵保存するネタケースと呼ばれるものがある(特許文献１参照)。例えば図２０および図２１に示すように、冷蔵ショーケース１０は、物品を冷蔵保存する収納室１２と、この収納室１２を冷却するための圧縮機や凝縮器等の冷却装置(何れも図示せず)が配設される機械室１４とが隣接して設けられている。収納室１２は、外装と内装との間にウレタンフォーム等の断熱材３２を充填して断熱構造とされた断熱箱体１６の内部に画成され、該断熱箱体１６の前側に形成した前面開口部５６にフロントガラス１８が嵌め込まれて、収納室１２の内部が前面から見えるようになっている。
【０００３】
図２１に示すように、断熱箱体１６の後面側には、収納室１２に対する物品出入口２０が開設されると共に、該物品出入口２０にはスライド扉２２がスライド自在に取付けられ、スライド扉２２を左右方向にスライドして物品出入口２０を開放することで、収納室１２に対する物品の出し入れを許容するよう構成される。
【０００４】
前記断熱箱体１６における収納室１２の上側に形成される上部断熱層２６の下面には、冷却プレート３０が配設されている。また、前記冷却装置に接続する上部エバポレータ３４が、上部断熱層２６内部において冷却プレート３０に接触するよう配設され、上部エバポレータ３４に循環供給される冷媒によって冷却プレート３０を冷却して、収納室１２を間接的に冷却するよう構成される。
【０００５】
収納室１２の上方には、照明装置としての蛍光灯３６が、冷却プレート３０に固定された照明支持具３８を介して取付けられている。この蛍光灯３６は、透明な樹脂製カバー４０によって保護されて、洗浄時の水掛かりによる漏電や錆による劣化の防止を図ると共に、ネタ容器等を収納室１２に出し入れする際、容器が蛍光灯３６に接触して破損しないようになっている。また、蛍光灯３６は、照明支持具３８によって冷却プレート３０から所要間隔離間しており、該冷却プレート３０の熱交換面積が確保されている。
【先行技術文献】
【特許文献】
【０００６】
【特許文献１】特開平８−３２７２０９号公報
【発明の概要】
【発明が解決しようとする課題】
【０００７】
このように、従来の冷蔵ショーケース１０は、収納室１２を照らす照明装置として蛍光灯３６が採用されているが、前述の如く、冷却プレート３０の熱交換面積を確保するため、蛍光灯３６は該プレート３０から所要距離だけ離間している。従って、蛍光灯３６の突出分だけ収納室１２の容積が狭くなり、収納室１２のスペースを有効に利用できず、また、大きな食材等を収納できない場合もあった。しかも、蛍光灯３６は使用時に熱を発生するため、この熱によって収納室１２が温められてしまう。そこで従来の冷蔵ショーケース１０は、収納室１２を低温状態に保持するため大容量の冷却装置が使用されており、冷蔵ショーケース１０のランニングコストが嵩む原因となっていた。更に、蛍光灯３６は、長期の使用により色が褪せて、収納室１２に陳列された食材等の見た目が悪くなったり、収納室１２内が暗くなったりする事態が生じてしまう。
【０００８】
また、収納室１２に陳列される食材によって照明色を変えたりする等の演出を蛍光灯３６ですることは難しく、いちいち他の色の蛍光灯３６に交換しなければならなかった。更に、樹脂製カバー４０を清掃する際、該カバー４０のフロントガラス１８側は手指が届き難く、非常に煩雑な作業を強いられてしまう。
【０００９】
そこで本発明は、従来のショーケースに内在する前記諸問題に鑑み、これを好適に解決するべく提案されたものであって、ＬＥＤ照明装置を採用することで、ランニングコストを低減すると共に、収納室のスペースを有効に使用し得るショーケースを提供することを目的とする。
【課題を解決するための手段】
【００１０】
前記課題を克服し、所期の目的を達成するため、請求項１に係るショーケースは、
前面開口部に透明部材が嵌め込まれた断熱箱体に、温度調節されて物品を収納する収納室が内部画成されると共に、前記断熱箱体に、ＬＥＤ素子を基板に配設したＬＥＤ照明装置を設け、該照明装置により前記収納室内を照らすよう構成したショーケースにおいて、
前記収納室内に、エバポレータが取付部を介して該収納室の上部から所要間隔離間して配設されて、該エバポレータの上方に前記ＬＥＤ照明装置を収容したホルダを配設し得る空きスペースを形成し、
前記収納室に臨む側から光が透過可能で、少なくとも前方および上方側に臨む部位が非透明若しくは半透明な前記ホルダが、該収納室における前記エバポレータ上方の空きスペースに配設され、
前記ＬＥＤ照明装置は、前記ＬＥＤ素子を収納室に向けた状態で前記ホルダに収容保持され、
前記エバポレータは、前後に離間する部位を有し、前記ホルダは、前記空きスペースにおけるエバポレータの前後に離間する部位の間に臨むよう配設されていることを特徴とする。
請求項１の発明によれば、照明装置としてＬＥＤ照明装置を採用したので、従来の蛍光灯に比べて電力消費量が少なく済み、ランニングコストを抑制し得る。しかも、ＬＥＤ素子の寿命は蛍光灯等に比べてはるかに長いので、煩わしい交換作業が必要なく、経時的な劣化による変色等も少ない。また、ＬＥＤ照明装置は、収納室内の空きスペースを利用して配設されるので、該収容室の使用スペースが狭められることがない。しかも、少なくとも前方及び上方側に臨む部位が非透明若しくは半透明なホルダにＬＥＤ照明装置を収容したので、ＬＥＤ照明装置の基板等が外部から見えたり、ＬＥＤ素子の光が外部に漏れて直接目に入ったりすることもない。
【発明の効果】
【００１２】
本発明に係るショーケースによれば、収納室をＬＥＤ照明装置により照明するようにしたのでランニングコストを低減することができる。また照明装置を空きスペースに配設したので、該収納室のスペースを有効利用することができる。
【図面の簡単な説明】
【００１３】
【図１】参考例１に係る冷蔵ショーケースを示す断面図である。
【図２】参考例１の冷蔵ショーケースの要部を示す拡大図である。
【図３】ＬＥＤ照明装置、パッキンおよびカバー部材を示す斜視図である。
【図４】参考例１の上部断熱層を示す斜視図である。
【図５】冷蔵ショーケースの後面部の一部を示す拡大図である。
【図６】参考例２に係る冷蔵ショーケースを示す断面図である。
【図７】参考例２のフロントガラスを示す斜視図である。
【図８】参考例２のケース部材を示す拡大図である。
【図９】参考例２のＬＥＤ照明装置を示す拡大図である。
【図１０】参考例３に係る冷蔵ショーケースの要部を示す拡大図である。
【図１１】参考例３で使用するＬＥＤ照明装置を示す概略説明図である。
【図１２】参考例４に係る冷蔵ショーケースの要部を示す拡大図である。
【図１３】参考例５に係る冷蔵ショーケースの要部を示す拡大図である。
【図１４】実施例に係る冷蔵ショーケースを示す断面図である。
【図１５】実施例に係る冷蔵ショーケースの要部を示す拡大図である。
【図１６】ＬＥＤ照明装置の光が反射して外部へ放射する様子を示した説明図である。
【図１７】参考例３の変更例１に係る冷蔵ショーケースの要部を示す拡大図である。
【図１８】参考例３の変更例２に係る冷蔵ショーケースの要部を示す拡大図である。
【図１９】参考例３の変更例２の別例に係る冷蔵ショーケースの要部を示す拡大図である。
【図２０】従来の冷蔵ショーケースを示す全体斜視図である。
【図２１】図２０に示す冷蔵ショーケースの断面図である。
【発明を実施するための形態】
【００１４】
次に、本発明に係るショーケースにつき、好適な実施例を挙げて、添付図面を参照して以下に説明する。なお、従来技術で説明した既出の部材については、同じ符号を付して詳細な説明は省略する。また実施例では、ショーケースとして、収納室が低温に温度調節される冷蔵ショーケースの場合で説明する。
【００１５】
(参考例１)
図１に示すように、参考例１に係る冷蔵ショーケース５０において、生鮮食材や飲料等の物品を冷蔵保存する収納室５２は、断熱構造の断熱箱体１６に内部画成されている。カウンタ等に冷蔵ショーケース５０を載置した際に客先に臨む断熱箱体１６の前面側に前面開口部５６が開設され、該開口部５６に透明なフロントガラス(透明部材)１８が嵌め込まれて、収納室５２に収納した物品を前方外部から視認し得るようになっている。このフロントガラス１８は、一対のガラス１８ａ,１８ａを所定間隔離間するよう対向配置した、所謂ペアガラスであって、両ガラス１８ａ,１８ａ間にはスペーサ１８ｂによって所要のスペースＳが画成されて密閉状態となっている。これに対し、断熱箱体１６の後面側には、物品出入口２０が開設されると共に、この物品出入口２０は、上下をレール５８,５８で保持された一対のスライド扉２２,２２が左右方向にスライド自在に配設され、該物品出入口２０を開閉可能に構成してある。なお、この物品出入口２０を開閉する扉については、参考例１の如くスライド扉２２,２２に限られず、例えば、回動式の扉であってもよい。
【００１６】
前記断熱箱体１６における収納室５２の下側に形成される下部断熱層(断熱層)４２の上面には、収納室５２の底面を画成する底板２４が配設されている。また下部断熱層４２には、下部エバポレータ４４が底板２４と接触するよう蛇行状に配設され、該底板２４を冷却することで間接的に収納室５２を冷却するようになっている。なお、底板２４は、物品出入口２０側からフロントガラス１８側に向けて下方傾斜し、底板２４に載置された簀の子６０の上に陳列した物品を前側から見易くしている。そして、底板２４の傾斜下端側には排水口４６が設けられ、この排水口４６に接続して下部断熱層４２内に配設された排水管４８を介して、収納室５２内に溜まった水を冷蔵ショーケース５０の外部に排出し得るようになっている。
【００１７】
収納室５２を冷却する冷却装置は、断熱箱体１６と隣接して一体的に配設されたキャビネットに内部画成した機械室１４に配設され、圧縮機、凝縮器、ファンモータおよび膨張弁等(何れも図示せず)から構成される。冷却装置は、圧縮機で圧縮された気化冷媒が、下流に位置する凝縮器でファンモータにより冷却されて凝縮液化し、膨張弁で減圧された液化冷媒が、上部エバポレータ３４および下部エバポレータ４４で低温の気化冷媒となることで収納室５２を冷却し、再び圧縮機に帰還するサイクルを構成している。
【００１８】
断熱箱体１６の上部に形成された上部断熱層(断熱層)５４は、該断熱箱体１６のトップカバー１６ａに支持された上方ホルダ２８と、収納室５２の上面を形成する冷却プレート６２とによって画成された空間に断熱材３２が充填されて構成されている。また、冷却装置に接続した上部エバポレータ３４が、冷却プレート６２に接触するよう配設されている。更に、図２に示すように、冷却プレート６２における上部エバポレータ３４が接触していない位置に、収納室５２の幅方向に延在する開口部６４が開設されている。そして、上部断熱層５４におけるこの開口部６４に臨む部位に収納スペース(空間)６６が画成され、該スペース６６に複数のＬＥＤ素子６８ａ,６８ｂ,６８ｃを備えたＬＥＤ照明装置７０が収納配置されている。
【００１９】
ＬＥＤ照明装置７０は、図２および図３に示すように、収納室５２の幅方向に所要長さで延在する矩形状の基板７２と、該基板７２の片面(表面７２ａ)に配設された複数のＬＥＤ素子(発光ダイオード)６８ａ,６８ｂ,６８ｃとから構成されている。参考例では、例えば、赤色のＬＥＤ素子６８ａを、基板７２における前方側に幅方向に所定間隔離間して配設し、同様に、青色、緑色に対応するＬＥＤ素子６８ｂ,６８ｃを、夫々、基板７２の中央、後方側に配設している。そして、各色のＬＥＤ素子６８ａ,６８ｂ,６８ｃは、夫々がリード線７４ａ,７４ｂ,７４ｃによって接続され、各リード線７４ａ,７４ｂ,７４ｃは結束されて基板７２の側方から延出される。そして、図４に示すように、結束されたリード線７４は、上部断熱層５４内から収納室５２に隣接する機械室１４へ導かれて、図５に示す各操作ボタン(後述)７６ａ,７６ｂ,７６ｃの各端子に接続されている。なお、本発明で照明装置として使用されるＬＥＤ素子６８ａ,６８ｂ,６８ｃは、従来の蛍光灯３６に比べて低消費電力で、高い耐衝撃性能を備えている。また、ＬＥＤ素子６８ａ,６８ｂ,６８ｃの寿命は蛍光灯等に比べてはるかに長く、経時劣化による変色等も少ない。更には、ＬＥＤ素子６８ａ,６８ｂ,６８ｃは赤外線を放出せず、外部の温度上昇を招くことがないといった特性を備えている。
【００２０】
ＬＥＤ照明装置７０は、図２に示すように、収納スペース６６に配設されたホルダ７８の内部に取付けられる。このホルダ７８は、プラスチック等の樹脂を断面略凸状に形成したものであって、下方に向けて開放する開口７８ａが設けられている。この開口７８ａは、冷却プレート６２の開口部６４と略一致する寸法に設定され、ホルダ７８は、その開口７８ａを開口部６４に対応させた状態で収納スペース６６に配設される。また、ホルダ７８の内部空間は取付部７８ｂによって上下に２分され、前記基板７２の裏面７２ｂを該取付部７８ｂにおける開口７８ａ側の面に接着することで、ＬＥＤ照明装置７０はホルダ７８の内部に固定される。なお、基板７２を取付部７８ｂに接着するには、両面テープが好適に使用されるが、その他、ネジやフック等で固定するようにしてもよい。
【００２１】
ホルダ７８における取付部７８ｂの上側(開口７８ａとは反対側)に収容部７８ｃが画成されており、該収容部７８ｃに乾燥剤８０が収納され、ホルダ７８内の湿気を除去するようになっている。なお、取付部７８ｂに複数の通孔７８ｄが開設されており、該通孔７８ｄを介してホルダ７８内の雰囲気が収容部７８ｃとＬＥＤ照明装置７０が収納されている空間との間を循環する。また、このホルダ７８の全周縁はシール部材８２によって密閉されており、断熱材３２がホルダ７８内へ侵入しないよう構成される。
【００２２】
冷却プレート６２に開設された開口部６４は、ゴム等からなるパッキン８４を介してカバー部材８６によって閉成されている。このカバー部材８６は、ＬＥＤ素子６８ａ,６８ｂ,６８ｃから放出された光を透過させるため透明な樹脂から形成されたものであって、その外形は冷却プレート６２の開口部６４の内形と略一致している。また、カバー部材８６の裏面(上方側の面)に突部８６ａが形成され、パッキン８４に形成された溝部８４ａに嵌合するようになっている。更に、図２に示すように、カバー部材８６の裏面には一対の係止部８６ｂ,８６ｂが設けられており、前記ホルダ７８の内部に形成された段部７８ｅ,７８ｅに係合することでカバー部材８６が開口部６４に取付けられる。すなわち、ＬＥＤ照明装置７０が取付けられるホルダ７８の内部は、パッキン８４およびカバー部材８６によって収納室５２に対して密閉され、外部から水が侵入するのを防止すると共に、前記乾燥剤８０によってホルダ７８の内部雰囲気は低湿潤に維持される。
【００２３】
図５に示すように、機械室１４の後面部１４ａに冷蔵ショーケース５０の各種操作を行なう操作パネル８８が配設され、該パネル８８に設けられた「赤」・「青」・「緑」の各操作ボタン７６ａ,７６ｂ,７６ｃを操作することで、その色に対応したＬＥＤ素子６８ａ,６８ｂ,６８ｃのＯＮ・ＯＦＦ作動を切替え得るよう構成される。すなわち、ＬＥＤ照明装置７０は、収納室５２に陳列する物品に合わせて照明色を変更し得るよう構成されている。なお、「赤」・「青」・「緑」の全色を一斉に発光させることも勿論可能である。また、符号９０は、ＬＥＤ照明装置７０の電源スイッチを示している。
【００２４】
なお、図１に示すように、フロントガラス１８の前記スペースＳには、ＬＥＤ照明装置７０による光を反射して、収納室５２内をより明るくする反射板１１８が設けられている。この反射板１１８は、例えば、ステンレスを薄板状に形成したものであって、収納室５２側のガラス１８ａにおけるスペースＳ側の面に両面テープ等で接着されている。なお、この反射板１１８の設置場所は、フロントガラス１８内において、ＬＥＤ照明装置７０からの光を反射し得る位置であればよい。但し、この反射板１１８に換えて、反射フィルムを内側のガラス１８ａに貼り付けてもよい。また、内側のガラス１８ａに銀色等の色素を印刷して、反射面を形成してもよい。
【００２５】
(参考例１の作用)
次に、参考例１に係る冷蔵ショーケース５０の作用について説明する。ＬＥＤ照明装置７０を作動させる際には、機械室１４の後面部１４ａに配設された電源スイッチ９０をＯＮにする。そして、例えば、ＬＥＤ照明装置７０の全ての色を点灯させたい場合、操作ボタン７６ａ,７６ｂ,７６ｃを全て押すことで、基板７２上のＬＥＤ素子６８ａ,６８ｂ,６８ｃが全て点灯される。この時、カバー部材８６は透明な樹脂で形成されているので、ＬＥＤ照明装置７０の光は弱まることなく収納室５２を照らすことができる。
【００２６】
フロントガラス１８の内側のガラス１８ａには反射板１１８が貼り付けられているので、ＬＥＤ照明装置７０の光が客の目に直接入ることがない。また、反射板１１８によってＬＥＤ照明装置７０の光が反射されて、収納室５２内はより明るくなる。更に、フロントガラス１８のスペースＳ内はスペーサ１８ｂによって密閉されており、該スペースＳ内の反射板１１８に埃や汚れ等が付着することがないので、反射板１１８の清掃を行なう必要がない。そして、反射板１１８を清掃する必要がないことから、該反射板１１８の剛性を確保する必要がなく、省資源・省コストを実現し得ると共に、反射板１１８に採用し得る素材の選択範囲が拡大される。更にまた、反射板１１８はスペースＳ内に設けられて収納室５２には露出していないので、収納室５２の容積が狭まることがなく、該収納室５２の清掃も容易となる。
【００２７】
また、陳列される食材等に合わせて、照明色を変更したい場合には、操作パネル８８において、点灯させたいＬＥＤ素子６８ａ,６８ｂ,６８ｃに対応する操作ボタン７６ａ,７６ｂ,７６ｃのみを押せばよい。すなわち、例えば、「赤」のＬＥＤ素子６８ａのみを点灯させたい場合、該素子６８ａに対応した操作ボタン７６ａのみを押し、他の操作ボタン７６ｂ,７６ｃはＯＦＦとすればよい。このように、参考例１に係る冷蔵ショーケース５０は、陳列させる食材等に合わせて照明色を容易に変更させることが可能となる。
【００２８】
また、ＬＥＤ照明装置７０は、収納室５２外部の上部断熱層５４内に配設されるので、該収納室５２のスペースを有効に利用することが可能となり、大きな食材等も陳列・収納することができる。更に、ＬＥＤ照明装置７０は、従来の蛍光灯３６のように収納室５２に突出していないので、該収納室５２内を容易に清掃することができる。また、ＬＥＤ照明装置７０が取付けられるホルダ７８の内部は密閉状態とされるため、外部から水が侵入してＬＥＤ照明装置７０が故障したり、漏電したりすることもない。更に、ホルダ７８の収容部７８ｃに乾燥剤８０が収納されているので、ホルダ７８内部の雰囲気を低湿潤に維持し得る。
【００２９】
ＬＥＤ素子６８ａ,６８ｂ,６８ｃは、従来使用されてきた蛍光灯３６の如く発熱しないので、冷却装置の容量を小さくすることができ、ランニングコストを抑えることが可能となる。また、ＬＥＤ素子６８ａ,６８ｂ,６８ｃの寿命は蛍光灯等に比べてはるかに長く、経時劣化もほとんどないので、発光色が褪せたり、照度が低下することが少ない。従って、従来の蛍光灯３６では必要であった煩雑な取換え作業を行なう必要がない。なお、ＬＥＤ照明装置７０のリード線７４は、上部断熱層５４内に配設されて機械室１４へと導出しており、収納室５２内へは露出していないので、このリード線７４が邪魔になることもない。
【００３０】
(参考例２)
次に、参考例２に係る冷蔵ショーケースについて説明する。参考例２については、参考例１との変更点のみ説明することとし、同一の部材については同じ符号を付して説明は省略する。図６は、参考例２に係る冷蔵ショーケース１００を示す断面図であって、前記断熱箱体１６の前面開口部５６に嵌め込まれているフロントガラス１０８は、図７に示すように、一対のガラス１０８ａ,１０８ｂを所定間隔離間するよう対向配置して、両ガラス１０８ａ,１０８ｂ間にスペース(空間)Ｓが画成されたペアガラスから構成される。そして、参考例２の冷蔵ショーケース１００においては、このスペースＳにＬＥＤ照明装置７０が収納されている。
【００３１】
フロントガラス１０８は、外ガラス１０８ａと内ガラス１０８ｂとから構成され、各ガラス１０８ａ,１０８ｂは、矩形状に形成されて図７の如く湾曲されている。また、両ガラス１０８ａ,１０８ｂ間における端縁部の全周に亘って、両ガラス１０８ａ,１０８ｂ間の離間間隔を確保すると共に、スペースＳ内の雰囲気を収納室５２に対して密閉する複数のスペーサ１１０が設けられている。すなわち、このスペーサ１１０は、両ガラス１０８ａ,１０８ｂ間における夫々の端縁部に、アルミ等の金属からなるケース部材１１２を設け、各ケース部材１１２の内部に発泡ウレタン等の断熱材を収容したものである。また、図８に示すように、下方側のケース部材１１２に通孔１１２ａが開設されると共に、該ケース部材１１２内には乾燥剤８０が収納されている。更に、フロントガラス１０８の端縁部の全周は、シリコン等によるコーキングによってシールされており、ガラス１０８ａ,１０８ｂ間のスペースＳは密閉状態に保持される。すなわち、両ガラス１０８ａ,１０８ｂ間に画成されるスペースＳは密閉状態に保持されると共に、乾燥剤８０によって内部雰囲気が低湿潤に維持されるようになっている。
【００３２】
図９に示すように、両ガラス１０８ａ,１０８ｂ間のスペースＳに配設されるＬＥＤ照明装置７０は、前記基板７２の裏面７２ｂを外ガラス１０８ａの内面(スペースＳ側)に両面テープ１１４によって接着されて固定されている。また、ＬＥＤ照明装置７０の配設位置は、フロントガラス１０８の上方に位置している。更に、ＬＥＤ照明装置７０の基板７２側方から延出するリード線７４は、図７に示すように、フロントガラス１０８の一方の側端縁に設けられたスペーサ１１０に開設された通孔部１１０ａを介して、機械室１４に導入される。なお、冷蔵ショーケース１００の前方(客側)からＬＥＤ照明装置７０の基板７２や両面テープ１１４が見えないよう、これらを覆い隠す黒色フィルム１１６が外ガラス１０８ａの外面に貼り付けられている。但し、この黒色フィルム１１６に代えて外ガラス１０８ａに黒色のシルク印刷を施してもよい。また、黒色フィルム１１６を両ガラス１０８ａ,１０８ｂ間、すなわち、外ガラス１０８ａと基板７２との間に配置してもよい。黒色フィルム１１６を両ガラス１０８ａ,１０８ｂ間のスペースＳ内に配置することで、フロントガラス１０８表面の清掃時に、黒色フィルム１１６が剥がれてしまうことがない。
【００３３】
(参考例２の作用)
次に、参考例２の作用について、以下説明を行なう。ＬＥＤ照明装置７０を作動させる際には、機械室１４の後面部１４ａに配設された電源スイッチ９０をＯＮにする。そして、例えば、ＬＥＤ照明装置７０の全ての色を点灯させたい場合、全ての操作ボタン７６ａ,７６ｂ,７６ｃを押すことで、基板７２上のＬＥＤ素子６８ａ,６８ｂ,６８ｃを全て点灯させることができる。この時、フロントガラス１０８は透明なので、ＬＥＤ照明装置７０の光は弱まることなく収納室５２を照らすことができる。なお、陳列される食材等に合わせて、照明色を変更したい場合には、参考例１で説明したように、操作パネル８８において、点灯させたいＬＥＤ素子６８ａ,６８ｂ,６８ｃに対応する操作ボタン７６ａ,７６ｂ,７６ｃを押せばよい。
【００３４】
すなわち、参考例２に係る冷蔵ショーケース１００によれば、ＬＥＤ照明装置７０は、フロントガラス１０８のスペースＳ内に配設されるので、収納室５２のスペースを有効に利用することができ、大きな食材等も陳列・収納することが可能となる。また、従来の蛍光灯３６のように、ＬＥＤ照明装置７０は収納室５２に突出していないので、該収納室５２内を容易に清掃することができる。更に、ＬＥＤ照明装置７０が取付けられるフロントガラス１０８のスペースＳは密閉状態とされるため、外部から水が侵入してＬＥＤ照明装置７０が故障したり、漏電したりすることがない。更にまた、フロントガラス１０８の下方に設けられるケース部材１１２に乾燥剤８０を収納させたので、スペースＳ内部の雰囲気を低湿潤に維持し得る。
【００３５】
また、従来の蛍光灯３６に代えて、照明装置としてＬＥＤ素子６８ａ,６８ｂ,６８ｃを採用したことで、ランニングコストを抑える等、参考例１と同様な効果を奏する。なお、ＬＥＤ照明装置７０のリード線７４は、フロントガラス１０８のスペースＳから機械室１４へ直接導出されるので、リード線７４が収納室５２へ露出して邪魔になることもない。
【００３６】
なお、参考例２において、ＬＥＤ照明装置７０を覆い隠すフィルムや印刷は黒色に限らず、収納されている物品に合わせた色であればよい。また、フロントガラス１０８の両ガラス１０８ａ,１０８ｂを所要間隔離間させるスペーサ１１０については、参考例２で示した構成に限られず、従来公知の構成を適宜採用可能である。
【００３７】
また、参考例１および２で示したＬＥＤ照明装置７０は、「赤」・「青」・「緑」からなるＬＥＤ素子６８ａ,６８ｂ,６８ｃで構成したが、他の色のＬＥＤ素子を採用してもよい。更に、色の種類も３種に限られず、１種、２種あるいは４種以上の色を発光し得るようにしてもよい。
【００３８】
(参考例３)
次に、参考例３に係る冷蔵ショーケースについて説明する。参考例３についても、参考例１および２との変更点のみ説明することとし、同一の部材については同じ符号を付して説明は省略する。
【００３９】
前述した参考例２では、ＬＥＤ照明装置７０はフロントガラス１０８のスペースＳ内に両面テープ１１４によって直接固定されていた。しかしながら、参考例３に係る冷蔵ショーケース１４０では、図１０に示すように、ＬＥＤ照明装置１２０を所要のホルダ１２２を介してフロンガラス１０８のスペースＳに配設するようになっている。
【００４０】
前記ＬＥＤ照明装置１２０を収容保持するホルダ１２２は、図１０に示すように、断面チャンネル状の本体部(前方および上方側に臨む部位)１３２と、該本体部１３２に一体的に形成されて前記スペーサ１１０と係合する係合部１３４とから構成されている。そして、前記スペーサ１１０における収納室５２の上方において幅方向に延在する部位１１０ｂを、係合部１３４が抱き込むように係合した状態で、フロントガラス１０８のスペースＳ内にホルダ１２２が配設される。
【００４１】
本体部１３２は、下方、すなわち収納室５２側に向けて開放する開放部１３２ａが長手方向に亘って形成されると共に、その内部にＬＥＤ照明装置１２０を収容し得る収容空間１３６が画成されている。また、この収容空間１３６には、ＬＥＤ照明装置１２０を所要角度傾斜させた状態で保持する保持部１３８が形成されている。すなわち、図１０に示すように、前記保持部１３８によってＬＥＤ照明装置１２０を傾斜した状態で保持することで、ＬＥＤ素子の照射方向を、収納室５２内を好適に照らし得る方向に指向させるよう構成される。更に、ＬＥＤ照明装置１２０をホルダ１２２に取付ける際に、保持部１３８によって基板１２６を位置決め(仮固定)し得るようになっている。なお、参考例３においては、図１０に示すように、収容空間１３６に突状(リブ状)部を形成して、これらを保持部１３８としたが、該保持部１３８としてはこの構成に限られる訳でなく、ＬＥＤ照明装置１２０を傾斜姿勢で保持し得るならば、他の構成を採用してもよい。
【００４２】
また、冷蔵ショーケース１４０の外部側に臨む本体部１３２は、非透明または半透明な合成樹脂等から形成されており、ＬＥＤ照明装置１２０の光が冷蔵ショーケース１４０の前方および上方側へ直接照射されないようになっている。更に、本体部１３２を非透明または半透明とすることで、ＬＥＤ照明装置１２０の基板１２６等が外部から見えてしまうのを防止している。なお、本体部１３２の開放部１３２ａを、透明な蓋部材によって閉塞するようにしてもよい。
【００４３】
前記本体部１３２における外ガラス１０８ａと当接する部位の縁部１３２ｂには、スペーサ１１０側へ向けて前記係合部１３４が延出しており、該係合部１３４はスペーサ１１０における前記部位１１０ｂを抱き込むように係合するよう構成される。すなわち、アルミ等の金属からなり剛性を備えたスペーサ１１０のケース部材１１２に係合部１３４が係合することで、ホルダ１２２を長尺とした場合においても反りが生じ難くなり、ホルダ１２２をスペーサ１１０の前記部位１１０ｂに沿って直線的に固定することが可能となる。また、この係合部１３４における上方側の面は前記外ガラス１０８ａの内面(空間Ｓ側の面)に当接するようになっており、係合部１３４は両面テープ１１４等によって外ガラス１０８ａに接着される。なお、ホルダ１２２に対する両面テープ１１４等による固定は、前記係合部１３４および外ガラス１０８ａの固定のみである。また、スペーサ１１０における前記部位１１０ｂの固定は、該部位１１０ｂの収納室５２側の面と内ガラス１０８ｂの内面(空間Ｓ側の面)を両面テープ１１４によって接着することでなされる。
【００４４】
参考例３において使用されるＬＥＤ照明装置１２０は、複数かつ同色のＬＥＤ素子１２４を基板１２６に１列に直線状に配設し、この基板１２６を直列に複数連ねて構成される。すなわち、図１１に示すように、幅方向に所要長さで延在する基板１２６に、複数のＬＥＤ素子１２４を１列に並べたものを１ユニットとし、このユニットを複数直列に連結させてＬＥＤ照明装置１２０を構成している。また、各ユニットの連結は、各基板１２６の両端部に設けたコネクタ１２８,１２８を、中継線１３０を介して接続することで行なわれる。従って、収納室５２の幅寸法に応じてユニットの連結数を変更することで、収納室５２内を所望の明るさで照らすことが可能となる。例えば、収納室５２の幅寸法を８４５ｍｍとし、幅寸法が２６０ｍｍの基板１２６に、０．０８Ｗの白色ＬＥＤ素子１２４を１２個設けたものを１ユニットとすると、このユニットを３つ連結すれば十分な明るさが確保される。なお、参考例３においては、ＬＥＤ素子１２４を１色のみ採用したので、参考例１および２で示した各色に対応した操作ボタン７６ａ,７６ｂ,７６ｃは必要なく、前記電源スイッチ９０をＯＮにするだけでＬＥＤ照明装置１２０が作動(点灯)するようになっている。
【００４５】
(参考例３の作用)
次に、参考例３の作用について、以下説明を行なう。ＬＥＤ照明装置１２０を前記空間Ｓ内に配設する際には、先ず始めに、前記ホルダ１２２内の収容空間１３６にＬＥＤ照明装置１２０を収容する。すなわち、前記保持部１３８に基板１２６を固定して、ＬＥＤ照明装置１２０を所要角度傾斜した状態で収容空間１３６内に保持する。この時、ＬＥＤ照明装置１２０は保持部１３８によって位置決め(仮固定)がなされるので、ＬＥＤ照明装置１２０の組付け作業は効率的に行ない得る。
【００４６】
次に、前記係合部１３４をスペーサ１１０における幅方向に延在する上方側の部位１１０ｂに係合させて、ホルダ１２２を該部位１１０ｂに沿って配設する。すなわち、スペーサ１１０のケース部材１１２は所要の剛性を備えてフロントガラス１０８に直線的に固定されており、係合部１３４がケース部材１１２を抱き込むようにして係合することで、ホルダ１２２に反りが発生し難くなり真っ直ぐに配置することが可能となる。従って、ホルダ１２２の反りを修正するための工程が必要でなく、ホルダ１２２の取付作業が効率的となる。そして、係合部１３４の上方側の面と外ガラス１０８ａのスペースＳ側の面とを両面テープ１１４によって貼り付けることで、ＬＥＤ照明装置１２０はホルダ１２２と共にスペースＳ内に設けられる。
【００４７】
次に、ＬＥＤ照明装置１２０を作動させる際には、機械室１４の後面部１４ａに配設された電源スイッチ９０をＯＮにする。この時、前記ホルダ１２２における本体部１３２の収納室５２側の部位(開放部１３２ａ)は開放しており、また、フロントガラス１０８は透明なので、ＬＥＤ照明装置１２０の光は弱まることなく収納室５２を照らすことができる。しかも、前述のように、ＬＥＤ照明装置１２０は所要角度傾斜した状態でホルダ１２２に収容されるので、収納室５２の必要箇所を好適に照らし得る。また、前記ホルダ１２２の本体部１３２は非透明または半透明な材質で形成されているので、ＬＥＤ素子１２４の光が前方または上方側に直接照射されることはなく、前方側に位置する客や、上方側に位置する寿司職人等が眩しいと感じることもない。更に、ＬＥＤ照明装置１２０の基板１２６等が外部から見えることがなく、冷蔵ショーケース１４０の美観が損なわれることもない。
【００４８】
以上説明したように、参考例３に係る冷蔵ショーケース１４０は、係合部１３４をスペーサ１１０に係合させた状態でホルダ１２２をスペースＳ内に配設するよう構成した。しかしながら、ホルダ１２２を本体部１３２のみから構成して、スペーサ１１０に係合させることなくスペースＳ内に固定するようにしてもよい。また、ＬＥＤ照明装置１２０は、光が収納室５２に好適に届くならば、必ずしも傾斜させた状態でホルダ１２２内に収容する必要はなく、フロントガラス１０８に対して平行姿勢で設けてもよい。更に、前記ホルダ１２２内に、参考例１で示した乾燥剤８０を収容させてもよい。更にまた、参考例３におけるスペーサ１１０は、参考例２と同様に、両ガラス１０８ａ,１０８ｂ間の全周縁に亘って配設されて、前記スペースＳ内を密閉するよう構成されていた。しかしながら、スペースＳ内を密閉して乾燥剤８０によって除湿する必要がない場合には、必ずしも前記スペーサ１１０を両ガラス１０８ａ,１０８ｂ間の全周縁に亘って設ける必要はない。
【００４９】
(参考例３の変更例１)
前述した参考例３に係る冷蔵ショーケース１４０において、ＬＥＤ照明装置１２０を作動した際に、前記基板１２６の傾斜角度や内ガラス１０８ｂの形状等によっては、ＬＥＤ照明装置１２０から照射された光が内ガラス１０８ｂ等に反射して外部へ漏れてしまう場合がある。すなわち、図１６に示すように、ＬＥＤ照明装置１２０の光が内ガラス１０８ｂ内で反射を繰り返すことにより、複数の反射光が外ガラス１０８ａを透過して外部へ漏れてしまう。この場合に冷蔵ショーケース１４０を前面側から見ると、外ガラス１０８ａにおけるホルダ１２２の近傍に、複数の光の点(光点Ｐ1,Ｐ2,Ｐ3・・・)が規則的に並んだ状態で現出し、冷蔵ショーケース１４０の見た目が悪くなると云う問題がある。なお、図１６に示すように、外部へ漏れる反射光のうち、ホルダ１２２における前記スペーサ１１０から離間する側の前端部１２２ａの最近傍を通過する第１反射光Ｌ1は、反射回数が少なく最も強い反射光となる。従って、第１反射光Ｌ1によって形成される光点Ｐ1が最も明るく目立ち易いものとなる。すなわち、フロントガラス１０８の外部へ漏れ出す反射光の強さは、前記ホルダ１２２の前端部１２２ａから遠ざかる(フロントガラス１０８の外周縁から遠ざかる)につれて小さくなる。
【００５０】
そこで、参考例３の変更例１に係る冷蔵ショーケース１４０においては、図１７に示すように、前記外ガラス１０８ａの外面に薄板状の遮蔽部材１９８を設けて、外部へ漏れ出すＬＥＤ照明装置１２０の光のうち、少なくとも前記第１反射光Ｌ1を遮蔽するよう構成されている。この遮蔽部材１９８は、光の透過率が低い材質からなる金属または樹脂等を幅方向に長い矩形薄板状に形成したものであって、接着剤により外ガラス１０８ａの外面の幅方向全面に貼り付けられる。また、遮蔽部材１９８の短手方向の長さ寸法ｌは、前記第１反射光Ｌ1を遮蔽し得る値に設定されている。すなわち、遮蔽部材１９８を外ガラス１０８ａに貼り付けた際に、遮蔽部材１９８の前縁部１９８ａが前記ホルダ１２２の前端部１２２ａよりも所要長さだけ前側(図１７の左側)へ延出して、ホルダ１２２を完全に覆い得るようになっている。
【００５１】
このように、変更例１に係る冷蔵ショーケース１４０によれば、ＬＥＤ照明装置１２０の反射光のうち最も強い第１反射光Ｌ1が遮蔽部材１９８によって遮蔽されるので、冷蔵ショーケース１４０の見た目を向上し得る。また、遮蔽部材１９８は第１反射光Ｌ1のみを遮蔽するようにした場合には、遮蔽部材１９８の面積を必要最小限に設定し得る。従って、遮蔽部材１９８によって覆われるフロントガラス１０８の面積も必要最小限となり、外部から庫内へ取り入れられる光の量は殆ど減少することがない。なお、第１反射光Ｌ1以外の反射光(第２反射光Ｌ2,第３反射光Ｌ3・・・)については、遮蔽部材１９８によっては遮蔽されずに外部に漏れるが、このような反射光は、第１反射光Ｌ1よりも反射を多く繰り返しているので、冷蔵ショーケース１４０を前側から見た場合に光点Ｐ2,Ｐ3・・・はそれ程目立つことがない。但し、必要であれば、第２反射光Ｌ2または第３反射光Ｌ3等まで遮蔽し得るよう遮蔽部材１９８の長さ寸法ｌを大きくしてもよい。なお、変更例１においては、遮蔽部材１９８を薄板状のもので形成したが、遮蔽部材１９８を光の透過性が低い粘着シート等から形成してもよい。
【００５２】
(参考例３の変更例２)
次に、参考例３の変更例２に係る冷蔵ショーケース１４０について説明する。前述の如く、変更例１においては、遮蔽部材１９８を外ガラス１０８ａの外面に設けていた。これに対し変更例２における遮蔽部材２００は、図１８に示す如く、前記内ガラス１０８ｂのスペースＳ側におけるホルダ１２２の係合部１３４の反対側に臨む部位に設けられる。すなわち、変更例２においては、内ガラス１０８ｂのスペースＳ側において、前記本体部１３２における前記スペーサ１１０の反対側の前端部１２２ａに近接するよう遮蔽部材２００が設けられる。この遮蔽部材２００は、変更例１の遮蔽部材１９８と同様に、前記第１反射光Ｌ1を遮蔽すべく設置されるものであり、光の透過率が低い金属または合成樹脂等を薄板状に形成したものである。しかしながら、変更例２の遮蔽部材２００は、内ガラス１０８ｂの前記スペースＳ側に設けられるので、短手方向の長さ寸法ｌ'を小さくすることが可能となる。
【００５３】
すなわち、変更例２に係る冷蔵ショーケース１４０によれば、遮蔽部材２００は内ガラス１０８ｂの前記スペースＳ側に設けられるため、第１反射光Ｌ1を遮るのに必要な短手方向の長さ寸法ｌ'は、変更例１の長さ寸法ｌよりも小さく設定することができる。従って、遮蔽部材２００の面積がより小さくなって外部の光が庫内に侵入し易くなり、庫内を更に明るく維持し得る。また、遮蔽部材２００の面積が小さくなることで、該遮蔽部材２００の製造コストも低廉となる。なお、変更例２の遮蔽部材２００についても、第１反射光Ｌ1のみを遮蔽するのでなく、第２、第３反射光Ｌ2,Ｌ3等を遮蔽し得るよう変更してもよい。
【００５４】
なお、変更例１および２で示した遮蔽部材１９８,２００の構成は、一例を示したものであり、ＬＥＤ照明装置１２０の反射光が外部へ漏れるのを防止し得るものであれば、他の構成を適宜採用可能である。従って、遮蔽部材の設置箇所については、反射光を好適に遮蔽し得る箇所であれば、例えば外ガラス１０８ａの内面等、フロントガラス１０８の何処に設けてもよい。すなわち、冷蔵ショーケース１４０の実施態様によって光の反射方向(光点Ｐ1,Ｐ2,Ｐ3・・・の出現位置)は変化するので、少なくとも第１反射光Ｌ1を遮蔽し得るよう遮蔽部材をフロントガラス１０８の適宜箇所に設ければよい。また、遮蔽部材として、外ガラス１０８ａまたは内ガラス１０８ｂの適宜箇所に光透過性の低い塗材をスプレーしてもよい。更に、図１９に示すように、前記ホルダ１２２の前端部１２２ａにおける下端に、遮蔽部材２０２を一体的に形成してもよい。
【００５５】
(参考例４)
次に、参考例４に係る冷蔵ショーケースについて、以下説明を行なう。参考例４においても、参考例１〜３との変更箇所についてのみ説明を行なうこととする。
【００５６】
図１２は、参考例４に係る冷蔵ショーケース１５０の要部を拡大して示した図である。この冷蔵ショーケース１５０は、断熱箱体１６の上部に配設された非透明の材質で形成されているトップカバー１５２と、前記フロントガラス１０８との間に所要のスペース(空間)Ｔが画成され、該スペースＴ内に前記ＬＥＤ照明装置１２０が直接配設されている。すなわち、前記トップカバー１５２の前端縁には、フロントガラス１０８における収納室５２の上方側の縁部１０８ｃと重なるように延在するホルダ１９６が形成され、該ホルダ１９６とフロントガラス１０８との間にスペースＴを画成している。そして、前記ＬＥＤ照明装置１２０の基板１２６を、ホルダ１９６におけるスペースＴ側の面に両面テープ１１４等によって接着することで、ＬＥＤ照明装置１２０はスペースＴ内に取付けられる。また、図１２に示すように、ホルダ１９６の前縁部１５２ａは下方(収納室５２側)へ向けて傾斜してフロントガラス１０８に当接した状態でシールされており、前記スペースＴは密閉状態に維持される。なお、このホルダ１９６内に、参考例１で示した乾燥剤８０を収容させてもよい。また、前記スペースＴ内におけるＬＥＤ照明装置１２０の配設位置は、収納室５２内が好適に照らされる位置に設定される。
【００５７】
すなわち、参考例４に係る冷蔵ショーケース１５０によれば、ＬＥＤ照明装置１２０は収納室５２の外部にある前記スペースＴに収納されるので、収納室５２内のスペースを狭めることがなく有効利用することができる。また、前記スペースＴは密閉されるので、ＬＥＤ照明装置１２０の光が外部(冷蔵ショーケース１５０の前方および上方側)に漏れたりすることがない。更に、ＬＥＤ照明装置１２０の基板１２６等が外部から見えることもないので、冷蔵ショーケース１５０の美観が損なわれることもない。更にまた、ＬＥＤ照明装置１２０をトップカバー１５２におけるホルダ１９６の下面に配設することで、物理的・機械的衝撃からＬＥＤ照明装置１２２を保護することが可能となる。
【００５８】
なお、参考例４では、ＬＥＤ照明装置１２０を直接スペースＴ内に配設したが、ＬＥＤ照明装置１２０を、別途、前述した参考例で示すホルダ等を介して設置するようにしてもよい。すなわち、例えば、参考例３におけるホルダ１２２の本体部１３２の如きもので、ＬＥＤ照明装置１２０を保持することが可能である。また、参考例４では、前記ホルダ１９６の前縁部１５２ａをフロントガラス１０８にシールすることで、前記スペースＴ内を密閉した場合を示したが、必ずしも該スペースＴ内を密閉する必要はない。
【００５９】
(参考例５)
次に、参考例５に係る冷蔵ショーケースについて、以下説明を行なう。参考例５においても、参考例１〜４との変更箇所についてのみ説明を行なうこととする。
【００６０】
参考例５に係る冷蔵ショーケース１６０は、図１３に示すように、前記フロントガラス１０８における断熱箱体１６の上部に設けられたトップカバー１６２に近接する部位にホルダ１６４を設け、該ホルダ１６４内にＬＥＤ照明装置１２０が配設されている。トップカバー１６２は、その前方側がフロントガラス１０８の前記上方側の縁部１０８ｃを覆うように断熱箱体１６の上部に設けられる。そして、ホルダ１６４は、トップカバー１６２におけるフロントガラス１０８側に臨む前縁部１６２ａに当接した状態で、フロントガラス１０８の幅方向に沿って配設される。
【００６１】
前記ホルダ１６４は、内部にＬＥＤ照明装置１２０を収容する収容空間１６６が画成されると共に、外方に臨む外面部(前方および上方側に臨む部位)１６８がトップカバー１６２と同質な非透明の材質で形成されている。この外面部１６８の後縁部１６８ａは前記トップカバー１６２の前縁部１６２ａに当接すると共に、外面部１６８の前縁部１６８ｂはフロントガラス１０８の外ガラス１０８ａの外表面に当接した状態となっている。すなわち、ホルダ１６４における前方および上方側に臨む部位をトップカバー１６２と同質な材質から形成すると共に、該ホルダ１６４をトップカバー１６２と連続した状態で設けることで、ホルダ１６４を設けることでの違和感が生じることがない。なお、この外面部１６８を半透明な部材から構成して、ＬＥＤ照明装置１２０の光を僅かに外部へ漏らすようにしてもよい。
【００６２】
また、ホルダ１６４におけるフロントガラス１０８に臨む側に、前記収容空間１６６を密閉する透明な蓋部材(透明部材１０８側に臨む部位)１７０が設けられ、埃や水分が収容空間１６６内へ侵入するのを防止している。そして、前記外面部１６８の裏面(収容空間１６６側の面)にＬＥＤ照明装置１２０の基板１２６を両面テープ１１４等によって接着し、ＬＥＤ照明装置１２０を収容空間１６６内に固定する。なお、ＬＥＤ照明装置１２０からの光は、前記蓋部材１７０およびフロントガラス１０８を介して収納室５２へ照射されるようになっている。また、このホルダ１６４内に、参考例１で示した乾燥剤８０を収容させてもよい。
【００６３】
すなわち、参考例５に係る冷蔵ショーケース１６０によれば、ＬＥＤ照明装置１２０をトップカバー１６２に沿って設けたホルダ１６４内に収容したので、収納室５２内のスペースを狭めることがなく有効利用することができる。また、ホルダ１６４の外面部１６８は、トップカバー１６２と同質な部材で形成されているので、該ホルダ１６４に違和感が生じることがなく、冷蔵ショーケース１６０の美観が損なわれることもない。更に、前記外面部１６８は非透明な部材から形成されているので、ＬＥＤ照明装置１２０の光が外部に漏れたりすることがなく、また、ＬＥＤ照明装置１２０の基板１２６等が外部から見えることもない。しかも、ＬＥＤ照明装置１２０が収容される収容空間１６６は、前記蓋部材１７０によって密閉状態にシールされるので、埃や水分が侵入してＬＥＤ照明装置１２０が故障するのを防止し得る。更にまた、前記ホルダ１６４内にＬＥＤ照明装置１２０を収容することで、該ＬＥＤ照明装置１２０を物理的・機械的衝撃から保護することが可能となる。
【００６４】
なお、以上に示した参考例２〜５に係る冷蔵ショーケース１００,１４０,１５０,１６０は、参考例１と同様な、上部断熱層５４にエバポレータ３４が配設され、冷却プレート６２を介して収納室５２を冷却するものであった。しかしながら、例えば、上部断熱層５４および冷却プレート６２を設けず、大型のエバポレータが収納室５２に露出して、該収納室５２を直接冷却するタイプのものであってもよい。また、エバポレータ３４で冷却した冷気を収納室５２へ循環させて該収納室５２を冷却する冷気循環式タイプ、あるいは収納室５２の外側に冷気循環用の通路を設け、該通路に冷気を循環することで、収納室５２を高湿状態で冷却するタイプ等、その他の冷蔵ショーケースであっても構わない。
【実施例】
【００６５】
次に、実施例に係る冷蔵ショーケースについて、以下説明を行なう。実施例においても、参考例１〜５との変更箇所についてのみ説明を行なうこととする。
【００６６】
図１４および図１５は、実施例に係る冷蔵ショーケース１８０を示す図である。図１４に示すように、実施例に係る冷蔵ショーケース１８０は、参考例１〜５で示したように、上部断熱層５４内にエバポレータ３４が配設されたタイプではなく、大型のエバポレータ１８２が収納室１９２の上部に露出した状態で設けられている。そして、ＬＥＤ照明装置１２０は、フロントガラス１０８における収納室１９２の上方部とエバポレータ１８２との間の空きスペースＶに配設したホルダ１８４に収容されている。
【００６７】
すなわち前記エバポレータ１８２は、図１４に示すように、フロントガラス１０８における上方側の縁部１０８ｃ付近から所要の長さで下方に延出する取付部１８６を介して固定されており、エバポレータ１８２とその上方に位置するフロントガラス１０８との間には所要の空きスペースＶが形成されている。そして、ホルダ１８４をフロントガラス１０８の内ガラス１０８ｂにおける前記取付部１８６に近接した部位に設け、該ホルダ１８４内にＬＥＤ照明装置１２０を収容するようになっている。
【００６８】
図１５に示すように、前記ＬＥＤ照明装置１２０を収容保持するホルダ１８４は、非透明または半透明な本体部(前方および上方側の部位)１９４を断面チャンネル状に成形したものであって、収納室１９２の下方側へ向けて開口部１８４ａが開口している。また、本体部１９４の内部には、ＬＥＤ照明装置１２０を収容し得る収容空間１８８が画成されると共に、該収容空間１８８は、前記開口部１８４ａを閉成する蓋部材(下方側に臨む部位)１９０によって密閉状態に保持される。この蓋部材１９０は透明な合成樹脂等から形成されており、ＬＥＤ照明装置１２０の光が該蓋部材１９０を介して収納室１９２へ照射されるようになっている。すなわち、ホルダ１８４における少なくとも前方および上方側に臨む部位を非透明または半透明な部材で形成することにより、ＬＥＤ照明装置１２０の光が外部へ直接照射されないようにし、更に、ＬＥＤ照明装置１２０の基板１２６等が外部から見えてしまうのを防止している。そして、このホルダ１８４を空きスペースＶに配設することにより、収納室１９２内の使用スペースを狭めることなく有効に利用することが可能となる。
【００６９】
以上に示したように、実施例に係る冷蔵ショーケース１８０によれば、ＬＥＤ照明装置１２０をエバポレータ１８２およびフロントガラス１０８の間の空きスペースＶに配設したので、収納室１９２の使用スペースを狭めることなく有効に利用することが可能となる。また、ホルダ１８４は非透明または半透明な部材から形成されているので、ＬＥＤ照明装置１２０の光が外部へ直接漏れたり、基板１２６等が外部から見えてしまうことがない。更に、ホルダ１８４の収容空間１８８は蓋部材１９０によって密閉状態にシールされるので、湿気や埃等がＬＥＤ照明装置１２０に付着して故障してしまうのを防止することができる。更にまた、ホルダ１８４によって、機械的・物理的衝撃からＬＥＤ照明装置１２０を保護し得る。
【００７０】
なお、実施例においては、ＬＥＤ照明装置１２０をエバポレータ１８２およびフロントガラス１０８の間の空きスペースＶに配設したが、ＬＥＤ照明装置１２０を、図１４に示すエバポレータ１８２およびトップカバー２８の間の空きスペースＷに配設してもよい。
【００７１】
また、各参考例および実施例において説明した、断熱箱体１６の前面開口部５６に嵌め込まれるフロントガラス１８,１０８は、ガラスから形成されたものであるが、このフロントガラス１８,１０８に代えて、透明なプラスチック等の合成樹脂からなる部材で構成してもよい。更に、参考例１,４,５および実施例では、フロントガラス１８,１０８をペアガラスで構成する必要はなく、一枚のガラスまたはプラスチック等から構成してもよい。
【００７２】
また、参考例３〜５および実施例では、基板１２６上に複数のＬＥＤ素子１２４を直線状に配設し、この基板１２６を直列的に連結させたＬＥＤ照明装置１２０を使用したが、参考例１および２で示したＬＥＤ照明装置７０を参考例３〜５および実施例の冷蔵ショーケース１４０,１５０,１８０に採用することも可能である。なお、各実施例では、収納室を冷却する冷蔵ショーケースの場合で説明したが、収納室をヒータ等で所定温に加温して物品を加温状態で貯蔵するショーケースであってもよい。
【００７３】
更に、参考例４および５において、ＬＥＤ照明装置１２０を作動させた場合に、外・内のガラス１０８ａ,１０８ｂで反射した反射光が外部へ漏れ出してしまう場合には、参考例３の変更例１,２で示した如き遮蔽部材１９８,２００を、フロントガラス１０８の適宜箇所に設けてもよい。
【符号の説明】
【００７４】
１６ 断熱箱体，５６ 前面開口部，１０８ フロントガラス(透明部材)
１２０ ＬＥＤ照明装置，１２４ ＬＥＤ素子, １２６ 基板，１８２ エバポレータ
１８４ ホルダ，１８６ 取付部，１９２ 収納室
１９４ 本体部(前方および上方側に臨む部位)，Ｖ 空きスペース，Ｗ 空きスペース
【図１】
0005511760.tif 000002
【図２】
0005511760.tif 000003
【図３】
0005511760.tif 000004
【図４】
0005511760.tif 000005
【図５】
0005511760.tif 000006
【図６】
0005511760.tif 000007
【図７】
0005511760.tif 000008
【図８】
0005511760.tif 000009
【図９】
0005511760.tif 000010
【図１０】
0005511760.tif 000011
【図１１】
0005511760.tif 000012
【図１２】
0005511760.tif 000013
【図１３】
0005511760.tif 000014
【図１４】
0005511760.tif 000015
【図１５】
0005511760.tif 000016
【図１６】
0005511760.tif 000017
【図１７】
0005511760.tif 000018
【図１８】
0005511760.tif 000019
【図１９】
0005511760.tif 000020
【図２０】
0005511760.tif 000021
【図２１】
0005511760.tif 000022